(57)【要約】      （修正有）【課題】従来のブリルアンセンサーシステムより更に遠い距離での温度感知又は歪感知を可能にする分布型ブリルアンセンサーシステムを提供する。【解決手段】ポンプレーザー２と、少なくとも第１の光ファイバーセクション１０及び第２の光ファイバーセクション４を備える複合ファイバーアセンブリと、を備える分布型ブリルアンセンサーシステム１であって、ポンプレーザー２は複合ファイバーアセンブリの第１の端部へポンプ信号を送るように配置され、検出システムが複合ファイバーアセンブリからのブリルアン後方散乱を検出するように配置される。複合ファイバーアセンブリは低ブリルアンゲインを有する第１のセクション１０と、高ブリルアンゲインを有する第２のファイバーセクション４とによって特徴付けられる。【選択図】図１
2016121988.tif 000002
【特許請求の範囲】
【請求項１】
分布型ブリルアンセンサーシステムであって、
ポンプレーザーと、
少なくとも第１の光ファイバーセクションと第２の光ファイバーセクションとを備える複合ファイバーアセンブリと、
を備え、
前記ポンプレーザーは前記複合ファイバーアセンブリの第１の端部へポンプ信号を送るように配置され、
検出システムが前記複合ファイバーアセンブリからのブリルアン後方散乱を検出するように配置され、
前記複合ファイバーアセンブリは低ブリルアンゲインを有する前記第１のセクションと、高ブリルアンゲインを有する前記第２のファイバーセクションとによって特徴付けられる、分布型ブリルアンセンサーシステム。
【請求項２】
ブリルアンセンサーファイバーの反対の端部へプローブ信号を提供するように配置されるプローブレーザーを更に備える、請求項１に記載の分布型ブリルアンセンサーシステム。
【請求項３】
前記第２のファイバーセクションの前記ブリルアンゲインは前記第１のファイバーセクションの前記ブリルアンゲインより少なくとも２．０倍大きい、請求項１に記載の分布型ブリルアンセンサーシステム。
【請求項４】
前記第１のファイバーセクションは第１の実効面積を有し、前記第２のファイバーセクションは第２の実効面積を有し、前記第１の実効面積は前記第２の実効面積より少なくとも１．５倍大きい、請求項１に記載の分布型ブリルアンセンサーシステム。
【請求項５】
前記第１のファイバーセクションは第１の実効面積を有し、前記第２のファイバーセクションは第２の実効面積を有し、前記第１の実効面積は前記第２の実効面積より少なくとも２．０倍大きい、請求項１に記載の分布型ブリルアンセンサーシステム。
【請求項６】
前記第１のセクションの実効面積は１００μｍ２以上である、請求項１に記載の分布型ブリルアンセンサーシステム。
【請求項７】
前記第１のファイバーセクションの減衰は０．１７５ｄＢ／ｋｍ以下である、請求項１に記載の分布型ブリルアンセンサーシステム。
【請求項８】
前記分布型ブリルアンセンサーシステムのカバー範囲は前記複合ファイバーアセンブリを用いることによって少なくとも１０ｋｍ増加する、請求項１に記載の分布型ブリルアンセンサーシステム。
【請求項９】
前記第１のファイバーセクションは負の分散を有する、請求項１に記載の分布型ブリルアンセンサーシステム。
【請求項１０】
前記第１のファイバーセクションは正の分散を有する、請求項６に記載の分布型ブリルアンセンサーシステム。
【請求項１１】
ブリルアンセンサーファイバーシステムのための複合ファイバーアセンブリの使用であって、該複合ファイバーアセンブリは少なくとも第１の光ファイバーセクションと、第２の光ファイバーセクションとを備え、前記第１のセクションは低ブリルアンゲインを有し、前記第２のファイバーセクションは高ブリルアンゲインを有する、ブリルアンセンサーファイバーシステムの複合ファイバーアセンブリの使用。
【発明の詳細な説明】
【技術分野】
【０００１】
［関連出願の相互参照］
本願は２０１４年１１月３日に出願された米国仮特許出願第６２／０７４，０２１号、及び２０１５年３月１６日に出願された米国仮特許出願第６２／１３３，６２７号に関連し、それらの仮特許出願の優先権を主張し、それらの仮特許出願の内容のすべてが引用することにより本明細書の一部をなす。
【０００２】
本発明は分布型ブリルアンセンサーシステムに関する。さらに、本発明は、分布型ブリルアンセンサーシステムにおいて用いるためのブリルアンセンサーファイバー又はファイバーアセンブリの使用に関する。
【背景技術】
【０００３】
光ファイバーは通信目的で頻繁に用いられ、その場合、光波は低損失又は損失なしで長い距離にわたってファイバー内を伝搬することが可能である。一方、周囲環境の影響への光特性の感受性を高めることによって、光ファイバーは温度又は圧力等の外的摂動を検出又は監視するのに用いることが可能である。
【０００４】
こうした光ファイバーセンサーはポイントセンサーとして実施することができ、その場合、光ファイバーに沿った一箇所のロケーションだけが外的摂動に対する感度を持つ。したがって、地点ごとに１つの光ファイバーが必要であり、その地点が監視される。代替的には、ファイバー光センサーは分布型センサーとして実施することができ、その場合、光ファイバーは長い中断のない線形のセンサーである。
【０００５】
伝搬する光のパワーが所与の閾値を超えるとき、ブリルアン散乱等の非線形現象が生じ始める。この現象の発生が上述の周囲環境変動に強く依存することに起因して、ブリルアン散乱は分布型光ファイバーセンサーシステムにおいて頻繁に利用されている。
【０００６】
ブリルアン散乱は電磁波と物体との間の相互作用に起因して発生し、これにより、材料の分子構造体内に変動を生じさせることができる。入射する光波は音波を発生させ、屈折率の周期的な変調を誘導し、これによりブラッグ格子に類似した光後方散乱を形成する。
【０００７】
散乱光は、音速での格子の運動に関連付けられたドップラーシフトに起因して、周波数においてダウンシフトする。音速は材料の密度に依存する。材料の密度は熱膨張の結果として温度依存であるので、相互作用のピーク周波数は温度に伴って変化するものとして観測される。さらに、ファイバーが受ける任意の変形も材料の密度に影響を与えることになり、それにより、ファイバーが引き伸ばされたときのシフトを観測することによってそのファイバーを分布型歪ゲージとして用いることが可能である。
【０００８】
様々な時間領域相関技法又は周波数相関技法を用いることによって、ブリルアンシフトプロセスは光ファイバーに沿って正確に位置特定することができる。
【０００９】
C.A. Galindez-Jemioy及びJ. M. Lopez-Higueraによる「Brillouin Distributed Fiber Sensors: An Overview and Applications」Journal of Sensors, Volume 2012は種々のブリルアンセンサー構成体の概覧及び用途を提供する概説記事であり、この内容は引用することにより本発明の一部をなす。
【００１０】
Luc Thevenazによる「Brillouin distributed time-domain sensing in optical fibers: state of the art and perspectives」Front. Optoelectron. China, Higher Education Press and Springer Verlag Berlin Heidelberg, 2010は種々のブリルアンセンサー構成体の概覧及び用途を提供する別の概説記事であり、この内容は引用することにより本発明の一部をなす。
【００１１】
現在、ブリルアンに基づくセンサーシステムは標準シングルモードファイバーを利用している。しかしながら、こうしたファイバーはブリルアンゲイン係数に優れず、変調不安定性を引き起こす場合がある望ましくない非線形の影響を及ぼすと考えられている。したがって、改良された分布型ブリルアンセンサーシステムの必要性がある。
【発明の概要】
【発明が解決しようとする課題】
【００１２】
本発明の目的は改良された分布型ブリルアンセンサーシステムを提供することである。
【００１３】
本発明の更なる目的は適合させたブリルアンセンサーファイバーを有する分布型ブリルアンセンサーシステムを提供することである。
【００１４】
本発明の追加の目的はブリルアンセンサーシステムのための適合させたブリルアンセンサーファイバーの使用を提供することである。
【００１５】
本発明の更なる目的は、従来のブリルアンセンサーシステムより更に遠い距離での温度感知又は歪感知を可能にするブリルアンセンサーシステムを提供することである。
【課題を解決するための手段】
【００１６】
第１の態様によれば、本発明はポンプレーザーと、ブリルアンセンサーファイバーと、検出システムとを備える分布型ブリルアンセンサーシステムを提供し、
ポンプレーザーはブリルアンセンサーファイバーの第１の端部へポンプ信号を送るように配置され、
検出システムはブリルアンセンサーファイバーからのブリルアン後方散乱を検出するように配置され、ブリルアンセンサーファイバーは、
−ブリルアンセンサーファイバーは負の分散を有すること、
によって特徴付けられ、
−ブリルアンセンサーファイバーの実効面積は５０μｍ２以下である。
【００１７】
負の分散を有するブリルアンセンサーファイバーを利用することによって、変調不安定性等の非線形の深刻な影響を及ぼすことなく、ファイバーの実効面積を低減することが可能であり、これにより、事実上所与のポンプパワーに対する光ファイバーのブリルアンゲインを増加させる。
【００１８】
第１の実施形態において、センサーシステムは、ブリルアンセンサーファイバーの反対側の端部にプローブ信号を提供するように配置されるプローブレーザーを更に備える。こうした構成はより効率的な散乱効率をもたらす。一方、本発明はブリルアンセンサーシステムが自然ブリルアンセンサーシステム又は後方散乱ブリルアンセンサーシステムに基づくことができることも意図している。
【００１９】
１つの実施形態において、センサーファイバーの実効面積は６０μｍ２以下である。センサーファイバーの実効面積は５０μｍ２以下とすることもできる。センサーファイバーの実効面積は更に４０μｍ２以下とすることができる。比較的小さい実効面積はブリルアンゲインを増加させるが、通常は変調不安定性等の望ましくない非線形の影響をもたらす。しかしながら、ファイバーの負の分散がこれを補償する。
【００２０】
センサーファイバーの実効面積は、例えば、１０μｍ２〜５０μｍ２の間とすることができる。センサーファイバーの実効面積は１５μｍ２〜３５μｍ２の間とすることができることが有利であり、このことはブリルアンセンサーファイバーのための優れた特性を提供することを示した。
【００２１】
別の実施形態において、ブリルアンセンサーファイバーは低減衰と高ブリルアンゲインとを有することによって更に特徴付けられる。
【００２２】
減衰は、例えば、０．２５ｄＢ／ｋｍ以下とすることができる。減衰は、例えば、０．２４ｄＢ／ｋｍ以下とすることができる。減衰は、例えば、０．２３ｄＢ／ｋｍ以下とすることができる。減衰は、例えば、０．２２ｄＢ／ｋｍ以下とすることができる。減衰は、例えば、０．２１ｄＢ／ｋｍ以下とすることができる。減衰は、例えば、０．２０ｄＢ／ｋｍ以下とすることができる。
【００２３】
１つの有利な実施形態において、分散は−２ｐｓ／ｎｍ／ｋｍより負であり、有利には−５ｐｓ／ｎｍ／ｋｍより負である。
【００２４】
ブリルアンゲインは、有利にはＧ．６５２標準シングルモードファイバーのブリルアンゲインの少なくとも２倍である。
【００２５】
１つの実施形態において、ブリルアンセンサーファイバーは最大屈折率ｎ１を有する中央コア領域と、上記グラスファイバーの外表面上に名目屈折率ｎ２を有する透明クラッド材料層とを備え、ここで、
【数１】
2016121988.tif 000003
であり、グラスファイバーは中央コア領域に隣接する透明材料の第１の環状領域を備え、上記第１の環状領域は幅約１マイクロメートル〜１０マイクロメートル及び屈折率ｎ３を有し、ここで、
【数２】
2016121988.tif 000004
であり、グラスファイバーは、外側クラッドに隣接する透明材料の第２の環状領域を更に備え、上記第２の環状領域はその屈折率がｎ４であり、ここで、
【数３】
2016121988.tif 000005
である。
【００２６】
クラッドの屈折率ｎ２は、例えば、１．４５７＠６３３ｎｍとすることができ、基準として用いることが可能である。上記の値はｎ２の値で除算する、すなわち、有利には１．４５７で除算することによって相対値に変換することもできる。
【００２７】
ブリルアンセンサーファイバーは領域１５３０ｎｍ〜１５６５ｎｍの全ての波長に対して述べる特徴を示すことができることが有利である。
【００２８】
ポンプ信号は光パルスから構成されることが好ましい。プローブ信号は連続波光から構成することができることが有利である。
【００２９】
ブリルアンセンサーは少なくとも５ｋｍの長さ、有利には少なくとも１０ｋｍの長さを有することができる。
【００３０】
追加の第１の態様によれば、本発明はブリルアンセンサーファイバーシステムのためのセンサーファイバーの使用を提供し、このセンサーファイバーは負の分散を有する。
【００３１】
本発明は、ブリルアンセンサーファイバーシステムのためのセンサーファイバーの使用を更に提供し、センサーファイバーは最大屈折率ｎ１を有する中央コア領域と、上記グラスファイバーの外表面上に名目屈折率ｎ２を有する透明クラッド材料層とを備え、ここで、
【数４】
2016121988.tif 000006
であり、グラスファイバーは中央コア領域に隣接する透明材料の第１の環状領域を備え、上記第１の環状領域は幅約１マイクロメートル〜１０マイクロメートル及び屈折率ｎ３を有し、ここで、
【数５】
2016121988.tif 000007
であり、グラスファイバーは、外側クラッドに隣接する透明材料の第２の環状領域を更に備え、上記第２の環状領域はその屈折率がｎ４であり、ここで、
【数６】
2016121988.tif 000008
である。
【００３２】
上述したように、センサーファイバーの実効面積は５０μｍ２以下、例えば１５μｍ２〜３５μｍ２の範囲内である。
【００３３】
第２の態様によれば、本発明は、ポンプレーザーと、少なくとも第１の光ファイバーセクション及び第２の光ファイバーセクションを備える複合ファイバーアセンブリと、を備える分布型ブリルアンセンサーシステムを提供する。前記ポンプレーザーは前記複合ファイバーアセンブリの第１の端部へポンプ信号を送るように配置され、検出システムが前記複合ファイバーアセンブリからのブリルアン後方散乱を検出するように配置され、前記複合ファイバーアセンブリは低ブリルアンゲインを有する前記第１のセクションと、高ブリルアンゲインを有する前記第２のファイバーセクションとによって特徴付けられる。
【００３４】
したがって、第１のセクションは高ブリルアンゲインファイバーに関連する非線形の不利益なしで光を導くことができる一方、第２のファイバーセクションは、光が第１のセクションによって減衰された後、いずれの非線形の不利益を被ることなく高ブリルアンゲインを有することがわかる。このことによって分布型ブリルアンセンサーシステムのカバー範囲を著しく伸ばすことができる。
【００３５】
複合ファイバーアセンブリは第１のファイバーセクション及び第２のファイバーセクションを複数備えることができることは認識されたい。
【００３６】
第２のファイバーセクションは第１の態様について説明した上述の実施形態において説明した特徴のうちの任意のものを含むことができることも認識されたい。
【００３７】
第１の実施形態において、センサーシステムは、ブリルアンセンサーファイバーの反対側の端部にプローブ信号を提供するように配置されるプローブレーザーを更に備える。こうした構成はより効率的な散乱効率をもたらす。一方、本発明はブリルアンセンサーシステムが自然ブリルアンセンサーシステム又は後方散乱ブリルアンセンサーシステムに基づく場合があることも意図している。
【００３８】
１つの有利な実施形態において、第２のファイバーセクションのブリルアンゲインは第１のファイバーセクションのブリルアンゲインの少なくとも２．０倍大きい。
【００３９】
別の有利な実施形態において、第１のファイバーセクションは第１の実効面積を有し、第２のファイバーセクションは第２の実効面積を有し、第１の実効面積は第２の実効面積より少なくとも１．５倍大きく、有利には少なくとも２．０倍大きい。第１のセクションの実効面積は、例えば、１００μｍ２以上とすることができる。
【００４０】
第１のファイバーセクションの減衰は０．１７５ｄＢ／ｋｍ以下とすることができることが有利である。
【００４１】
高度に有利な実施形態において、分布型ブリルアンセンサーシステムのカバー範囲は複合ファイバーアセンブリを用いることによって少なくとも１０ｋｍ増加する。
【００４２】
第１のファイバーセクションは正の分散を有することによって特徴付けることができることが有利である。一方、第２のファイバーセクションはその代わりに負の分散を有することができる。
【００４３】
以下で、図面（複数の場合もある）を参照して本発明を詳細に説明する。
【図面の簡単な説明】
【００４４】
【図１】本発明による分布型ブリルアンセンサーシステムの概略図を示す図である。
【図２】光ファイバー内を伝搬する、レーザー光源からの後方散乱光のスペクトルを示す図である。
【図３】歪の関数としてのブリルアン周波数シフトを示す図である。
【図４】温度の関数としてのブリルアン周波数シフトを示す図である。
【図５】ポンプパルス、ポンプパルスに関連付けられるブリルアンゲイン及びプローブ信号の波長分布を示す図である。
【図６】距離と周波数の関数としての検出されたブリルアンスペクトルのウォーターフォールプロットを示す図である。
【図７ａ】本発明によるブリルアンセンサーファイバーの断面図を示す図である。
【図７ｂ】本発明によるブリルアンセンサーファイバーの屈折率プロファイルを示す図である。
【図８ａ】本発明によるファイバーアセンブリのためのブリルアン信号のパワーを示す図である。
【図８ｂ】本発明によるファイバーアセンブリのためのブリルアン信号のパワーを示す図である。
【発明を実施するための形態】
【００４５】
図１は本発明によるブリルアンセンサーシステム１を示している。図示するブリルアンセンサーシステム１はポンプと呼ばれる光パルスを用いて達成される誘導ブリルアン散乱と、ファイバーのブリルアン周波数プロファイルをプロ―ビングするのに用いられる、プローブ信号と呼ばれる連続波とを利用する。
【００４６】
ブリルアンセンサーシステム１はポンプレーザー２を備え、ポンプレーザー２は光パルスを光ファイバーアセンブリに送る。光ファイバーアセンブリは、オプションである第１のファイバーセクション１０と、本発明によるブリルアンセンサーファイバーの形態の第２のファイバーセクション４とを備える。この２つのファイバーセクションは直列に結合され、それにより、ポンプレーザー２から放射される光パルスが第１のファイバーセクション１０の第１の端部へと放射され、ブリルアンセンサーファイバー４に送られる。
【００４７】
この２つのファイバーセクション１０、４は構造体１４に取り付けられて歪及び温度の分布を感知されるように構成されることが有利である。構造体１４は、例えば、橋若しくはパイプライン、又は別の長い物体とすることができる。
【００４８】
ブリルアンセンサーシステム１はプローブレーザー８を更に備え、プローブレーザー８はプローブ信号を追加の第１のファイバーセクション１０の第１の端部へと光パルスと逆向きに放射する。システム１からの後方散乱光は、例えば質問器の形態の検出システム６へ送られる。後方散乱光は、例えば、ビームスプリッター構成体１２を介して検出システム６へ送られる。プローブレーザー８は連続波調整可能プローブ信号を生成することができることが有利である。
【００４９】
ポンプレーザー２と、検出器構成体６と、プローブレーザー８とは単数又は複数の単一ユニット内に統合することができる。
【００５０】
誘導ブリルアン散乱のプロセスは、光パルスとプローブ信号との間の周波数差がブリルアンシフトに対応するときに、それらの２つの信号がファイバー内を互いに反対方向に伝搬していることを条件として生じる。それらの２つの信号間の相互作用が高い散乱効率をもたらし、結果として、エネルギーがパルス信号からプローブ信号へ移行し、プローブ信号が増幅される。
【００５１】
分布型のセンシングは、光パルスがブリルアンセンサーファイバー４に送信されるときに放射される後方散乱光の解析に基づく。後方散乱は密度変動を有する光とブリルアンセンサーファイバー４の伝搬媒体の分子振動との相互作用に起因して生じる。自然後方散乱がブリルアンセンサーファイバー４の各地点において生じ、これにより単一の光ファイバーを介した分布型センサーを構成することが可能になる。
【００５２】
通常の後方散乱のスペクトルが図２に示されている。後方散乱はストークス成分と反ストークス成分とに分解され、それらがΔｆ＝０を中心に対称なパターンを形成する。
【００５３】
レイリー散乱２０は最も大きな度合いの後方散乱を生成し、ポンプレーザー２と同じ周波数に位置する。ブリルアン散乱２２は、熱的に励起された音波すなわち音響フォノンに起因して、レイリー散乱より低い強度にて後方散乱を生成する。ブリルアン散乱は１５５０ｎｍの波長において０．１ｎｍに対応する約１０ＧＨｚの周波数シフトを示す。以下で説明するように、周波数シフトはブリルアンセンサーファイバー４の局所的な温度と歪との双方の状態に直接関連付けられる。したがって、分布型温度及び／又は歪センサーシステムを得ることができる。さらに、上記で説明したように、ブリルアン散乱は誘導することが可能であり、それによって、後方散乱の規模を増加させ、後方散乱を遠距離にわたって感知するのに適したものにする。ラマン散乱２４は、熱的に励起された分子振動に起因する最も低い強度の後方散乱を生成し、１３ＴＨｚ、すなわち１５５０ｎｍの波長における１００ｎｍまで上昇した周波数シフトを示す。
【００５４】
ブリルアン散乱はポンプレーザー２からの光パルスとブリルアンセンサーファイバー４の物体との間の相互作用に起因して発生し、これにより、ブリルアンセンサーファイバー４の材料の分子構造体内に変動を生じさせることができる。入射する光波は音波を発生させ、屈折率の周期的な変調を誘発し、これによりブラッグ格子に類似した光後方散乱を形成する。散乱光は、音速での格子の運動に関連付けられたドップラーシフトに起因して、周波数がダウンシフトする。音速は材料の密度に依存する。そして材料の密度は熱膨張の結果として温度依存であるので、相互作用のピーク周波数は温度に伴って変化するものとして観測される。さらに、ファイバーが受ける任意の変形も材料の密度に影響を与えることになり、それにより、ファイバーが引き伸ばされたときのシフトを観測することによりそのファイバーを分布型歪ゲージとして用いることが可能である。図３に示すように、検出される周波数シフトΔｆは実質的に線形に歪σに依存する。さらに、図４に示すように、検出される周波数シフトΔｆは実質的に線形に温度Ｔにも依存する。光ファイバーは、圧力若しくは温度のいずれか、又は圧力と温度との双方をプロービングする専用に構成することができる。このことは、例えば、構造体に取り付けられる第１の光ファイバーを有することによって達成することができ、それにより構造体からの圧力が、結果としてファイバーを引き伸ばすことになり、ひいてはブリルアンシフトが生じることになる。同様に、別の光ファイバーは構造体内の圧力に影響されないようにチューブ内に配置し、これによって温度検出のみに専用とすることができる。
【００５５】
上述したように、ポンプレーザー２からの光パルスはファイバーアセンブリに１つの端部から入り、プローブレーザー８からの光はファイバーアセンブリに反対側の端部から入る。これら２つの信号は、共振周波数条件が満たされるとき、誘導ブリルアン散乱を通じて相互作用する。ポンプレーザー２とプローブレーザー８との間の周波数差が局所的なブリルアン周波数シフトに一致するとき、２つの信号間の相互作用は最大化される。このことが図５に示されており、図５はポンプパルス３２の波長と、ポンプパルス３２に関連付けられるブリルアンゲイン３０とを示している。さらに、プローブ３４の波長は調整可能であり、これにより、プローブ３４の波長をスキャンしてブリルアンシフト３６に一致させることができる。したがって、プローブはブリルアンシフトを正確に位置特定することが可能であり、これは圧力及び／又は温度に直接関連する。
【００５６】
プローブ信号３４は処理の位置についての情報だけでなく、局所的な温度及び局所的な歪の形態のイベントについての情報も搬送する。ポンプ信号３２は光パルスであるので、プローブ信号３４は時間領域の情報を搬送し、その情報はファイバーアセンブリ内の光の既知の速度に基づいて距離に変換することが可能である。したがって、調整可能なプローブ信号３４を用いてポンプ周波数とプローブ周波数との周波数差をスキャンすることによって、ファイバーアセンブリに沿った各ロケーションにおけるブリルアン周波数シフトを求めることが可能になる。
【００５７】
それによって、測定スキャンはファイバーアセンブリの長尺に沿って検出することができ、３Ｄグラフ、例えば、図６に示すようなウォーターフォールプロットとして描写することができる。局所的な圧力事象は、例えば、専用の歪センシングファイバーを用いて距離ｄ１において検出することができ、局所的な温度事象は、例えば、専用の温度センシングファイバーを用いて距離ｄ２において検出することができる。
【００５８】
ブリルアンゲインは割当て量ＰＰ・ｇＢ／Ａｅｆｆに比例し、ここでＰＰはポンプのパワー、ｇＢはファイバーのブリルアンゲイン係数、Ａｅｆｆはファイバーの実効面積である。ｇＢは、ブリルアン散乱に関与する光フィールドと音響フォノンとの間の重なり積分によって支配される。すなわち、ｇＢはともにドーピング分布によって支配される屈折率と音響屈折率プロファイルとにも依存する。実効面積を減少させることによってブリルアンゲインを増加させる。しかしながら、そのことはｎｎ１／Ａｅｆｆに比例する非線形係数γも増加させることになる。ここで、ｎｎ１は非線形屈折率であり、ファイバー屈折率とドーピング分布とに依存する。変調不安定性等の非線形の影響はγ・ＰＰに依存する。
【００５９】
分布型ブリルアンゲインは、標準シングルモードファイバー（Ｇ．６５２）に対するファイバー減衰の指数関数減衰式と実験的に比較されてきた。標準シングルモードファイバーのゲインは０．１９ｄＢ／ｋｍの指数関数的な減衰のファイバー損失に従う。
【００６０】
同様に、標準シングルモードファイバーより小さい実効面積を有する光ファイバー（標準シングルモードファイバーの実効面積の約１／３）及び同じポンプパワーに対して実験が行われた。この実験はブリルアンゲインが０．２８ｄＢ／ｋｍのファイバー損失に対応する指数関数より急激に減衰することを示した。この実験は、ブリルアンゲインが指数関数減衰に従うようにするために、ポンプパワーは４ｄＢ減少させなければならず、それによって、ブリルアンゲインが０．２８ｄＢ／ｋｍの指数関数ファイバー損失に従うことを示した。
【００６１】
標準シングルモードファイバーに対して変更されたファイバーのブリルアンゲインはファイバーの始めにおいて４％から９．３％へ、すなわち２．３倍に増加することが観察された。しかしながら、ブリルアンゲインは変調不安定性の原因となると考えられる長さでは急速に減少する。変調不安定性は、標準シングルモードファイバーに対して変更されたファイバーのより小さい実効面積に起因し、それによって、より高い非線形係数となる。変調不安定性を取り除くために、ポンプパワーを４ｄＢ減少させることが必要である。
【００６２】
５ｋｍまでの長さに対しては、変更されたファイバーは少ない有利性を示すことが更に観察された。しかしながら、５ｋｍを超える距離に対しては、標準シングルモードファイバーはそのより低い減衰に起因して優れている。このことは、ブリルアンセンシング専用の新たなファイバーの設計の必要性があることを示していることは明らかである。
【００６３】
本発明を論証するために、本発明による専用ブリルアンセンサーファイバーを標準シングルモードファイバー（Ｇ．６５２）と比較した。専用ブリルアンセンサーファイバーはより小さな実効面積（標準シングルモードファイバーの実効面積の約１／３）を有することによって特徴付けられるが、負の分散を有することによって更に特徴付けられる。
【００６４】
標準シングルモードファイバーに対する専用ブリルアンセンサーファイバーのブリルアンゲインはファイバーの端部近傍において４．５％から８％へ、すなわち１．８倍に増加されていることが観察された。双方のファイバーに対して同じポンプパワーが用いられたので、ブリルアンゲイン係数は専用ブリルアンセンサーファイバーにおいて標準シングルモードファイバーに対して１．８倍高いと結論付けることが可能である。
【００６５】
上述の変更された光ファイバーとは対照的に、専用ブリルアンセンサーファイバーに対しては、実効面積及びそれによる非線形係数は双方の間で略同じであるにもかかわらず、変調不安定性の証拠は観察されなかった。このことは、正の分散係数（異常分散）を有する変更されたファイバーとは対照的に専用ブリルアンセンサーファイバーが負の分散係数（正常分散）を有するという事実にあると考えられる。変調不安定性は分散が異常である場合のみに生じる可能性がある。４８ｋｍを超える範囲であっても専用ブリルアンセンサーファイバーは標準シングルモードファイバーより高いブリルアンゲインを示すが、専用ブリルアンセンサーファイバーのより高い損失に起因して、およそ２０ｋｍを超える距離に対しては優位性が小さくなることが観察される。
【００６６】
以上のことから、いくつかの包括的な結論を引き出すことができる。
１．増加させたブリルアンゲインは有用であるが、減衰も低い場合、長い距離においてのみ有用である。
２．異常分散を有するファイバーに対して、最大ポンプパワーは変調不安定性によって求められる。異常分散レジームにおける変調不安定性を回避するために、比ＰＰ・ｇ／Ａｅｆｆは或る特定の閾値未満でなければならない。
３．正常分散を有するファイバーは、不利益なしで、異常分散を有するファイバーよりはるかに高いＰＰ・γ／Ａｅｆｆ比において耐性を有することが可能である。
【００６７】
このことから、分布型ブリルアンセンシングに対する最適なファイバーは以下によって特徴付けられると結論付けることが可能である。
１．低損失。好ましくはおよそ０．２５ｄＢ／ｋｍ以下。
２．負の分散
３．高いブリルアンゲイン
【００６８】
高いブリルアンゲインはポンプパワーが制限される場合、特に重要である。
【００６９】
表１は本発明によるブリルアンセンサーファイバーの３つの例を示しており、これらは従来のブリルアンセンサーシステムより改良されたセンシング性能を提供している。
【００７０】
【表１】
2016121988.tif 000009
表１：１５５０ｎｍにおけるブリルアンセンサーファイバーの例の標準シングルモードファイバーとの比較
【００７１】
３つの例は全て比較的低い減衰と、標準シングルモードファイバーと比べて小さい実効面積と、比較的高いブリルアンゲインと、負の分散とを有することがわかる。全体として、例Ｉ〜ＩＩＩによる光ファイバーはセンシングリーチを標準シングルモード光ファイバーと比べて１０ｋｍより長く伸ばすことを可能にすることを示している。
【００７２】
図７ａは光ファイバー５０の断面図を示しており、光ファイバー５０の断面図は専用ブリルアンセンサーファイバー４に対して所望の特性を示す。光ファイバー５０は、ファイバーの導波路分散特性を変更するための、異なる屈折率をそれぞれが有する複数の層５１〜５４を有するコーティングされていないグラスファイバーである。図７ｂは屈折率の変化が層間で急激であることを示しているが、このことは必ずしも事実ではない。屈折率が徐々に変化することはより一般的であり、こうしたファイバーはグレイデッドインデックスファイバーとして知られている。にもかかわらず、本発明の理解を容易にするために急激な変化が示されている。本発明がグレイデッドインデックスファイバーも意図していることは理解されたい。
【００７３】
光ファイバー５０は、屈折率が名目上ｎ１である中央コア領域５１を備える。中央コア領域５１は名目屈折率ｎ３の第１の環状リング５２によって取り囲まれ、そして第１の環状リング５２は名目屈折率ｎ４の第２の環状リング５３によって取り囲まれている。名目屈折率ｎ２の外側クラッド５４は第２の環状リング５３を取り囲む。図７ａの図は、クラッド層５４の直径が約１２５ミクロンである一方、中央コア５１の直径は約８ミクロンであるので、等縮尺には描かれていないことに留意されたい。
【００７４】
上記の屈折率は以下のように定義される。
【数７】
2016121988.tif 000010
【００７５】
クラッド５４の屈折率は約１．４５７＠６３３ｎｍとすることができる。屈折率の差に関する上記の値は１．４５７で除算することによって百分率に変換することもできる。上記のインターバルから、光ファイバー５０は中央コア５１を取り囲む単一の環状リング又は２つの環状リングのみを有する場合もあることは認識されたい。
【００７６】
３つの層５１〜５３の半径ｃ１、ｃ２、ｃ３は以下のような値であることが有利である。
【数８】
2016121988.tif 000011
【００７７】
しかしながら、本発明によれば、本発明によるファイバーアセンブリを利用することによって、特に、比較的低いブリルアンゲインと、比較的高いゲインを有するブリルアンセンサーファイバー４とを有する第１のファイバーセクション１０を用いることによって、ブリルアンセンサーシステム１がカバーする範囲をより一層遠くへと伸ばすことが可能である。ブリルアンセンサーファイバー４は、有利には、例えば、例Ｉ〜ＩＩＩにおいて詳細に記されているような、本発明による専用ブリルアンセンサーファイバーとすることができることに留意されたい。一方、既存のブリルアンセンサーシステムがカバーする範囲も、比較的低いブリルアンゲインを有する第１のファイバーセクションを使用することによって、例えば、こうした光ファイバーを正の分散を有するブリルアンセンシングに用いられる標準シングルモードファイバーと組み合わせることによって伸ばすことができる。しかしながら、本発明のこの態様は、以下において、例ＩＩによる専用ブリルアンセンサーファイバーとの組み合わせにおいて説明する。
【００７８】
第１のファイバーセクション１０は純粋シリカコアファイバーを備えることができることが有利であり、これらのファイバーは表２に示す特徴を示す。
【００７９】
【表２】
2016121988.tif 000012
表２：１５５０ｎｍにおける本発明によるファイバーアセンブリの第１のファイバーセクションに対する光ファイバーの例
【００８０】
本発明によるファイバーアセンブリに関して得られる性能の例が図８に示されており、図８ａは距離の関数としてのブリルアン信号を任意の単位の線形スケールで示し、図８ｂは距離の関数としてのブリルアン信号を任意の単位の対数スケールで示している。このグラフは本発明によるファイバーアセンブリの特性６０を標準シングルモードファイバー（Ｇ．６５２）の特性６２と比較して示している。
【００８１】
このファイバーアセンブリは例Ｂによる４０ｋｍの長さを有する第１のファイバーセクション１０と、例ＩＩによる６０ｋｍの長さを有するブリルアンセンサーファイバー４とを備える。
【００８２】
この２つの場合において、入力パワーは実効面積あたりのパワーが同じに保持されるように調節された。この組み合わせの利点は低ブリルアンゲインを有するファイバー、すなわち、第１のファイバーセクション１０が、通常高い実効面積を有することであり、このことは性能がラマン散乱等の他の非線形性によって損なわれる前により多くのパワーを受け取ることが可能であることを意味している。パワーが高ブリルアンゲインファイバー、すなわち通常は低実効面積を有し、したがってより低いパワーしか受け取れない第２のファイバーセクション４に到達するとき、パワーは第１のファイバーセクション１０によって既に減衰されている。
【００８３】
こうしたファイバーの組み合わせによって、シングルファイバーよりも非常に大きくカバー範囲を改良することが可能であることがわかる。図８の例において、カバー範囲をおよそ５０ｋｍからおよそ８５ｋｍへと改良することが可能である。
【００８４】
図８に示す例において、第１のファイバーセクション１０は正の分散を有するが、第１のセクション１０の負の分散も可能である場合があることは理解されたい。また、３つ以上の異なるファイバー、例えば、３つ又は４つのファイバーがより一層よい性能を発揮する場合があることも理解されたい。
【００８５】
本構成を誘導ブリルアンセンサー構成との関連において説明したが、本発明は自然ブリルアンセンサー構成の使用も意図していることは認識されたい。
【符号の説明】
【００８６】
１  分散型ブリルアンセンサーシステム
２  ポンプレーザー
４  ブリルアンセンサーファイバー／第２のファイバーセクション
６  検出システム／検出器／質問器
８  プローブレーザー
１０  第１のファイバーセクション
１２  スプリッター
１４  構成体
２０  レイリー散乱
２２  ブリルアン散乱
２４  ラマン散乱
３０  ブリルアンゲインスペクトル
３２  ポンプパルス
３４  プローブ
３６  ブリルアンシフト
５０  光ファイバー
５１〜５４  光ファイバーの層
６０  本発明によるファイバーアセンブリ用のブリルアン信号
６２  標準シングルモードファイバー用のブリルアン信号
ｄ  距離
ｆ  周波数
Δｆ  ブリルアンシフト
Ｔ  温度
λ  波長
σ  歪
【図１】
2016121988.tif 000013
【図２】
2016121988.tif 000014
【図３】
2016121988.tif 000015
【図４】
2016121988.tif 000016
【図５】
2016121988.tif 000017
【図６】
2016121988.tif 000018
【図７ａ】
2016121988.tif 000019
【図７ｂ】
2016121988.tif 000020
【図８ａ】
2016121988.tif 000021
【図８ｂ】
2016121988.tif 000022
【外国語明細書】
2016121988.tif 000023
2016121988.tif 000024
2016121988.tif 000025
2016121988.tif 000026
2016121988.tif 000027
2016121988.tif 000028
2016121988.tif 000029
2016121988.tif 000030
2016121988.tif 000031
2016121988.tif 000032
2016121988.tif 000033
2016121988.tif 000034
2016121988.tif 000035
2016121988.tif 000036
2016121988.tif 000037
2016121988.tif 000038
2016121988.tif 000039
2016121988.tif 000040
2016121988.tif 000041
2016121988.tif 000042
2016121988.tif 000043
2016121988.tif 000044